(57)【要約】【課題】ＲＦＩＤラベルとＲＦＩＤが内蔵されていない通常ラベルが１つのロール状に配列されている異種ラベル連続体およびその印字方法を提供すること。【解決手段】ラベル連続体について規制したラベル印字領域内に所定枚数分の異種ラベル３１についてそれぞれラベル配置領域２２を画成すること、また、それぞれのラベル配置領域２２に異種ラベル３１を合わせて配置して、一単位分のラベル印字領域に所定枚数の異種ラベル３１を収容し、それぞれの異種ラベル３１に印字するようにしたので、ＲＦＩＤが内蔵されたラベルとＲＦＩＤが内蔵されない通常ラベルを通常のＲＦＩＤ用ラベルプリンタで印字発行可能とした。【選択図】図１
2008032868.tif 000002
【特許請求の範囲】
【請求項１】
ラベル連続体に印字する印字部と、前記ラベル連続体の位置を検出する検出部と、この検出部および前記印字部を制御する制御部と、データ読取り書込み部と、を有する、ＲＦＩＤ用ラベルプリンタにおいて、前記ラベル連続体は、ＲＦＩＤが内蔵されたＲＦＩＤラベルと、ＲＦＩＤが内蔵されていない通常ラベルと、を帯状の台紙上に所定の間隔を保ち配列し仮着され、前記ＲＦＩＤ用ラベルプリンタに装填される異種ラベル連続体であって、
前記異種ラベルは、ラベル印字領域内の一単位内に所定枚数だけ配置可能であるとともに、この一単位内の前記ラベル印字領域に前記異種ラベルそれぞれにラベル配置領域を画成し、    このラベル配置領域にそれぞれ供給される印字内容にもとづいて前記異種ラベルにそれぞれ印字することが可能であることを特徴とする異種ラベル連続体。
【請求項２】
前記ラベル印字領域は、
前記検出部による検出に用いられる単一の被検出マークを有することを特徴とする請求項１記載の異種ラベル連続体。
【請求項３】
前記ラベル連続体に仮着されている前記ＲＦＩＤが内蔵されたＲＦＩＤラベルの配置された台紙には被検出マークを有し、前記ＲＦＩＤが内蔵されていない通常ラベルの配置された台紙には被検出マークが無いことを特徴とする請求項１記載の異種ラベル連続体。
【請求項４】
ラベル連続体に印字する印字部と、前記ラベル連続体の位置を検出する検出部と、この検出部および前記印字部を制御する制御部と、データ読取り書込み部と、を有する、ＲＦＩＤ用ラベルプリンタにおいて、前記ラベル連続体は、ＲＦＩＤが内蔵されたＲＦＩＤラベルと、ＲＦＩＤが内蔵されていない通常ラベルと、を帯状の台紙上に所定の間隔を保ち配列し仮着され、前記ＲＦＩＤ用ラベルプリンタに装填される異種ラベル連続体であって、前記異種ラベルは、ラベル印字領域内の一単位内に所定枚数だけ配置可能であるとともに、この一単位内の前記ラベル印字領域に前記異種ラベルそれぞれにラベル配置領域を画成し、このラベル配置領域にそれぞれ供給される印字内容にもとづいて前記異種ラベルにそれぞれ印字することが可能であることを特徴とする異種ラベル連続体の印字方法。
【発明の詳細な説明】
【技術分野】
【０００１】
本発明はＲＦＩＤインレットが内蔵されたＲＦＩＤラベルとＲＦＩＤインレットが無い通常ラベルと、を一つのロール状としたラベル連続体およびその印字方法に関するものである。
【背景技術】
【０００２】
従来から、ＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや読書きを行うための各種のＲＦＩＤラベル連続体をＲＦＩＤ用プリンタに装填してその表面に所定の情報を印字することが行われている。
従来の一般的なＲＦＩＤ用サーマルラベルプリンタ１およびＲＦＩＤラベル連続体２について図５ないし図７にもとづき概説する。
図５は、従来のＲＦＩＤ用サーマルラベルプリンタ１の概略側面図、図６は、ＲＦＩＤラベル連続体２の平面図であって、ＲＦＩＤ用サーマルラベルプリンタ１は、ＲＦＩＤラベル連続体２のラベル供給部４と、移送路５と、ラベル検出部６と、印字部９と、プリンタ制御部８と、読取り書込み部７を有する。
【０００３】
図６に示すように、ＲＦＩＤラベル連続体２は、帯状の台紙１１と、台紙１１に仮着する複数枚のＲＦＩＤラベル１０と、を有し、さらにＲＦＩＤインレット１９を有している。ＲＦＩＤラベル１０の裏面には粘着剤層（図示せず）を形成してあり、ＲＦＩＤ用サーマルラベルプリンタ１のラベル供給部４にロール状に巻かれた状態で装填され、移送路５上をラベル検出部６、読取り書込み部７および印字部９に向かって帯状に繰り出されてゆく。
なお、図７に示すように、台紙１１の裏面には、ＲＦＩＤラベル１０の位置検出を可能とする被検出マーク１７を各ＲＦＩＤラベル１０ごとに、あらかじめ印刷してある。
【０００４】
ＲＦＩＤラベル１０は、任意の紙材料あるいは樹脂材料によりこれを構成したもので、その表面側に必要な印字を可能としているとともに、その裏面側に粘着剤層（図示せず）を有し、さらに、その内部に挟持した形態でＲＦＩＤインレット１９を有している。
【０００５】
ＲＦＩＤインレット１９は、樹脂製の保護シート１８と、保護シート１８に収容したアンテナ２１およびＩＣチップ２０と、を有する。
アンテナ２１およびＩＣチップ２０は、保護シート１８内に収容可能な樹脂フィルムなどの基材に各種作成手法によりこれを形成している。
アンテナ２１は、ＲＦＩＤラベル１０の所定面積を覆う平面状を呈している。
したがって、ＲＦＩＤラベル連続体２（ＲＦＩＤラベル１０）は、その表面側から外部の読取り書込み部７（図５）が発する制御電波をＲＦＩＤインレット１９（アンテナ２１）が受信し、ＩＣチップ２０からの情報の読取りやＩＣチップ２０への書込みを可能としている。
【０００６】
ラベル検出部６は、被検出マーク１７を検出する検出センサー１２を有し、ＲＦＩＤラベル連続体２（ＲＦＩＤラベル１０）の位置を検出する。
なお、隣り合うＲＦＩＤラベル１０の間にギャップを設けて、位置検出を行うようにすることもできる。
【０００７】
読取り書込み部７はＲＦＩＤアンテナ１４およびＲＦＩＤ制御部１３を有しており、ＲＦＩＤアンテナ１４がＲＦＩＤラベル１０におけるＲＦＩＤインレット１９のアンテナ２１との間で、データの送受信を行う。
【０００８】
印字部９は、サーマルヘッド１５およびプラテンローラー１６を有し、この間にプラテンローラー１６の回転駆動により移送路５上にＲＦＩＤラベル連続体２を移送するとともに、サーマルヘッド１５からの印字データ供給によりＲＦＩＤラベル１０上に所定の情報を印字する。
【０００９】
プリンタ制御部８は、上述のラベル検出部６、読取り書込み部７、および印字部９を制御する。
【００１０】
こうした構成のＲＦＩＤラベル連続体２およびＲＦＩＤ用サーマルラベルプリンタ１において、ＲＦＩＤラベル連続体２の移送にともなってラベル検出部６の検出センサー１２がＲＦＩＤラベル連続体２（台紙１１）の被検出マーク１７を検出し、読取り書込み部７によるデータ読取り書込みのタイミング、および印字部９における印字のタイミングを制御可能としている。
【００１１】
しかしながら、ＲＦＩＤ用サーマルラベルプリンタ１に、ＲＦＩＤを内蔵していない通常ラベル連続体を装填し、印字させようとしても通常ラベルにはデータ送受信を行うＲＦＩＤインレット１９を内蔵していないためＲＦＩＤ用サーマルラベルプリンタ１側で「エラー」となり印字できないことがあった。
【００１２】
つまり、ＲＦＩＤ用サーマルラベルプリンタ１は、ＲＦＩＤラベル１０に対してはプリンタ制御が可能であるが、ＲＦＩＤが内蔵されていない通常ラベルは読取り書込み部７から発する制御電波に対して交信手段がないため、読取り書込み部７において「交信エラー」となり、ＲＦＩＤ用サーマルラベルプリンタ１は、直ちに停止することになる。
【００１３】
また、ＲＦＩＤ用サーマルラベルプリンタ１にはＲＦＩＤラベル連続体２への対応とＲＦＩＤが内蔵されていない通常ラベル連続体への対応を可能にするため、読取り書込み部７を有効又は無効に選択させるスイッチを設けることで、ＲＦＩＤ用ラベルプリンタで印字発行することは可能であるが、ＲＦＩＤラベル連続体２とＲＦＩＤを内蔵していない通常ラベル連続体など、少なくとも２種類以上のロール状ラベル連続体を保管管理しなければならなかった。
【００１４】
すなわち、物流倉庫での出荷時は、ＲＦＩＤラベル１０とＲＦＩＤを内蔵しない通常ラベルとを、２種類同時に印字発行できないため、ＲＦＩＤラベル１０を読むピッキング確認用ラベルと通常ラベルである送付先ラベルの異種ラベルを一度に製品梱包箱に貼り付けることができず、複数の異種ラベルを、すばやく被着体に貼り付けたいときに、即座に印字発行できないことが問題であった。
【００１５】
【特許文献１】特開２００１−１５４５８６号公報
【発明の開示】
【発明が解決しようとする課題】
【００１６】
本発明は以上のような諸問題にかんがみなされたもので、ラベル印字領域に異種ラベルが交互に配列されている異種ラベル連続体およびその印字方法を提供することを課題とする。
【００１７】
また本発明は、ＲＦＩＤ用ラベルプリンタにより移送および印字可能なラベル連続体のラベルでＲＦＩＤが内蔵されたＲＦＩＤラベルとＲＦＩＤが内蔵されていない通常ラベルが台紙上に配列されていても、ＲＦＩＤ用ラベルプリンタで印字することができる異種ラベル連続体およびその印字方法を提供することを課題とする。
【課題を解決するための手段】
【００１８】
すなわち本発明は、ラベル連続体に印字する印字部と、前記ラベル連続体の位置を検出する検出部と、このラベル検出部および前記印字部を制御する制御部と、読取り書込み部と、を有する、ＲＦＩＤ用ラベルプリンタにおいて、前記ラベル連続体は、ＲＦＩＤが内蔵されたＲＦＩＤラベルと、ＲＦＩＤが内蔵されていない通常ラベルと、を帯状の台紙上に所定の間隔を保ち配列し仮着され、前記ＲＦＩＤ用ラベルプリンタに装填される異種ラベル連続体であって、前記異種ラベルは、ラベル印字領域内の一単位内に所定枚数だけ配置可能であるとともに、この一単位内の前記ラベル印字領域に前記異種ラベルそれぞれにラベル配置領域を画成し、このラベル配置領域にそれぞれ供給される印字内容にもとづいて前記異種ラベルにそれぞれ印字することが可能であることを特徴とする異種ラベル連続体である。
【００１９】
上記ラベル印字領域は、上記検出部による検出に用いられる単一の被検出マークを有することができる。
【００２０】
前記ラベル連続体に仮着されている前記ＲＦＩＤラベルの配置された台紙には被検出マークを有し、前記ＲＦＩＤが内蔵されていない通常ラベルの配置された台紙には被検出マークが無いことを特徴とする請求項１記載の異種ラベル連続体。
【００２１】
第二の発明は、ラベル連続体に印字する印字部と、前記ラベル連続体の位置を検出する検出部と、この検出部および前記印字部を制御する制御部と、データ読取り書込み部と、を有する、ＲＦＩＤ用ラベルプリンタにおいて、前記ラベル連続体は、ＲＦＩＤが内蔵されたＲＦＩＤラベルと、ＲＦＩＤが内蔵されていない通常ラベルと、を帯状の台紙上に所定の間隔を保ち配列し仮着され、前記ＲＦＩＤ用ラベルプリンタに装填される異種ラベル連続体であって、前記異種ラベルは、ラベル印字領域内の一単位内に所定枚数だけ配置可能であるとともに、この一単位内の前記ラベル印字領域に前記異種ラベルそれぞれにラベル配置領域を画成し、このラベル配置領域にそれぞれ供給される印字内容にもとづいて前記異種ラベルにそれぞれ印字することが可能であることを特徴とする異種ラベル連続体の印字方法である。
【発明の効果】
【００２２】
本発明による異種ラベル連続体およびその印字方法においては、ラベル連続体について規制した異種ラベル印字領域内に所定枚数分の異種ラベルについてそれぞれラベル配置領域を画成すること、それぞれのラベル配置領域に異種ラベルを合わせて配置して、一単位分のラベル印字領域に所定枚数の異種ラベルを収容し、それぞれの異種ラベルに印字するようにしたので、異種ラベルであってもその所定枚数をラベル印字領域内につめて配置可能であり、ＲＦＩＤが内蔵されたラベルとＲＦＩＤが内蔵されない通常ラベルを通常のＲＦＩＤ用プリンタで印字発行可能とした。
【００２３】
とくに第一の発明によれば、一単位内のラベル印字領域（標準ラベル領域）にそれぞれ画成されたラベル配置領域にそれぞれの異種ラベルを対応させ、このラベル配置領域にそれぞれ供給される印字内容にもとづいてそれぞれ印字することが可能な異種ラベル連続体とすることができる。
【００２４】
とくに第二の発明によれば、ラベル印字領域の一単位内に所定枚数だけ配置可能な異種ラベルについて、この一単位内のラベル印字領域に異種ラベルそれぞれにラベル配置領域を画成するとともに、これら所定枚枚の異種ラベルへの印字内容をそれぞれの異種ラベルのラベル配置領域に供給して、異種ラベルにそれぞれ印字するようにしたので、既存のＲＦＩＤ用ラベルプリンタを用いて異種ラベル連続体の印字を行うことができる。
【発明を実施するための最良の形態】
【００２５】
本発明は、ラベル印字領域に配置する所定枚数の異種ラベルを従来の一枚のＲＦＩＤ標準ラベルとして見なすとともに、それぞれの異種ラベルのラベル配置領域に印字内容を割り当てて、印字を行うようにしたので、異種ラベルそれぞれ供給される印字内容にもとづいて異種ラベルにそれぞれ印字することが可能となる異種ラベル連続体およびその印字方法を実現した。
【実施例】
【００２６】
つぎに本発明の第１の実施例による異種ラベル連続体３０およびその印字方法を図１ないし図４、図８にもとづき説明する。ただし、図５ないし図７と同様の部分には同一符号を付し、その詳述はこれを省略する。
図１は、異種ラベル連続体３０の平面図、図２は、異種ラベル連続体３０の裏面図、図３は、図１のＩＩ−ＩＩ線断面図である。異種ラベル連続体３０は、異種ラベル３１を有する。また、異種ラベル３１は、異種ラベル片３１Ａ又は異種ラベル片３１Ｂに相当する。
【００２７】
異種ラベル連続体３０においては、ＲＦＩＤ用サーマルラベルプリンタ１において台紙１１上に画成したラベル印字領域２２内に、異種ラベル３１それぞれに対応する仮想のラベル配置領域２３を画成し、それぞれのラベル配置領域２３に異種ラベル片３１Ａ（ＲＦＩＤラベル）、異種ラベル片３１Ｂ（通常ラベル）をそれぞれ当てはめる。
【００２８】
たとえば図１に示すように、異種ラベル連続体３０のピッチ方向（移送方向）において、それぞれ１枚のＲＦＩＤラベルとＲＦＩＤを内蔵していない通常ラベルである異種ラベル片３１Ａ、異種ラベル片３１Ｂを配置させてある。もちろん、異種ラベル片３１Ａ、異種ラベル片３１Ｂの大きさに合わせて、異種ラベル片３１Ｂ（通常ラベル）は任意の枚数を配置することもできる。
【００２９】
具体的には、一単位内のラベル印字領域２２においてラベル配置領域２３に合わせて、つまり異種ラベル片３１Ａ、異種ラベル片３１Ｂのサイズ（ラベルピッチの寸法）に合わせて幅方向にギャップ領域２４を型抜き切り込み、各ラベル間の不要部分を取り去ることにより、それぞれの異種ラベル３１であるＲＦＩＤラベルと通常ラベルを形成する。
【００３０】
図１では、異種ラベル３１がラベル印字領域２２に画成されている。ＲＦＩＤ用サーマルラベルプリンタ１の用紙サイズはラベルピッチ長（移送方向）が最大３９７ｍｍであるとき、最大１９７ｍｍのラベルピッチの異種ラベル３１を配置可能である。ただし、残り３ｍｍ分はラベルとラベルとのギャップ領域２４となる。
【００３１】
さらに図３に示すように、台紙１１の裏面には、異種ラベル３１ごとではなく、ラベル印字領域２２の異種ラベル片３１Ａ（ＲＦＩＤラベル）が配置されている位置に対応してラベル検出部６による検出に用いられる単一の被検出マーク１７をあらかじめ印刷してある。
【００３２】
こうした構成の異種ラベル連続体３０をＲＦＩＤ用サーマルラベルプリンタ１（図５）に装填して、異種ラベル３１に印字する場合には、一単位内のラベル印字領域２２に異種ラベル３１それぞれに対応して画成されたラベル配置領域２３にそれぞれ供給される印字内容にもとづいて印字することにより、異種ラベル３１にそれぞれ印字することが可能である。
【００３３】
また、ＲＦＩＤ用サーマルラベルプリンタ１（図５）は、ラベル供給部４より異種ラベル連続体３０を移送し、ラベル検出部６の検出センサー１２により位置を検出後、その表面側から外部の読取り書込み部７（図５）が発する制御電波をＲＦＩＤインレット１９（アンテナ２１）が受信し、読取り書込み部７によるデータ読取り書込みをおこなっているため、異種ラベル３１として異種ラベル片３１Ａ（ＲＦＩＤラベル）が配置された台紙には被検出マーク１７が印刷され、異種ラベル３１として異種ラベル片３１Ｂ（通常ラベル）が配置された台紙には被検出マークが無いことで印字部９における印字のタイミングを制御可能としている。
【００３４】
すなわち、図８は、異種ラベル３１への印字処理手順を示すフローチャート図であって、ステップＳ１において、異種ラベル片３１Ａが有するＲＦＩＤインレット１９への読み込む書き込み動作を行い、ステップ２において読み込み書き込みチェックを行い正常であればステップ３へ行き、読み込み書き込み不良であればステップ５へ行く。ステップＳ３において異種ラベル片３１Ａと異種ラベル片３１Ｂとの各印字位置を各ラベル配置領域２３に指定し、ステップＳ４において印字出力する。ステップＳ５においてＲＦＩＤインレット１９の読取り書き込み不良のため印字出力せず、直ちに停止する。
【００３５】
それぞれのラベル配置領域２３に位置する異種ラベル３１について、移送方向におけるラベル印字領域２２の先頭に位置するラベル配置領域２３の異種ラベル片３１Ａ（ＲＦＩＤラベル）と異種ラベル片３１Ｂ（通常ラベル）とを、一単位内のラベル印字領域として順次印字する。
【００３６】
かくして、ラベル配置領域２３に割り振ったそれぞれの異種ラベル３１について、印字内容を異種ラベル３１に供給し、それぞれの異種ラベル３１に印字が可能である。
【００３７】
なお、ＲＦＩＤ用サーマルラベルプリンタ１としては、従来どおりにラベル印字領域２２の部分を一度に移送することができるので、ＲＦＩＤ用サーマルラベルプリンタ１からは、２枚分相当の異種ラベル（異種ラベル片３１Ａと異種ラベル片３１Ｂ）を一度に排出可能となり、この排出ののち、自動剥離機構を採用するか、あるいは手動により剥離をするかして、異種ラベル３１を被着体の必要な部分に貼り付けることができる。
【００３８】
さらに、ＲＦＩＤ用サーマルラベルプリンタ１に装填されたラベル連続体が、異種ラベル連続体３０（図１）か、通常のＲＦＩＤ内蔵されたＲＦＩＤラベル１０を有するＲＦＩＤラベル連続体２（図６）かの区別をプリンタ制御部８に入力し、ラベル印字領域２２内における異種ラベル３１の長手方向サイズ（ラベル印字領域サイズ）、あるいは通常のＲＦＩＤラベル１０の長手方向サイズをセットすれば、いずれの異種ラベル連続体３０あるいはＲＦＩＤラベル連続体２の場合にも印字処理が可能である。
【００３９】
また、ＲＦＩＤ用サーマルラベルプリンタ１としての機械的な機構上の変更は不要であり、プリンタ制御部８へのソフトウェアの追加変更も容易であって、コストの上昇も最小限とすることができる。
【００４０】
なお、本発明による異種ラベル連続体３０としては、ラベル印字領域２２のピッチとギャップ領域２４のピッチを加えたサイズより小さなピッチを有する複数枚の異種ラベルを有するものでよく、上述の第１の実施例では２枚相当の異種ラベル３１である異種ラベル３１Ａと異種ラベル３１Ｂを示したが、３枚相当の異種ラベル４１であってもよい。
【００４１】
すなわち図４は、本発明の第２の実施例による異種ラベル連続体４０の平面図であり、異種ラベル連続体４０は、台紙１１のピッチ方向に異種ラベル４１（異種ラベル片４１Ａ、異種ラベル片４１Ｂ）を有する。
【００４２】
前述した異種ラベル連続体３０（第１の実施例）の場合と同様に、単一のラベル印字領域２２内に異種ラベル４１それぞれに対応するラベル配置領域４３、ギャップ領域４４を画成し、それぞれのラベル配置領域４３に異種ラベル４１を当てはめている。
【００４３】
こうした構成の異種ラベル連続体４０は、ＲＦＩＤラベル１枚、通常ラベル２枚を同時に被着体に貼付する際、有効である。
【図面の簡単な説明】
【００４４】
【図１】本発明の第１の実施例による異種ラベル連続体３０の平面図である。
【図２】同、異種ラベル連続体３０の裏面図である。
【図３】同、図１のII−II線断面図である。
【図４】本発明の第２の実施例による異種ラベル連続体４０の平面図である。
【図５】従来のＲＦＩＤ用サーマルラベルプリンタ１の概略側面図である。
【図６】従来のＲＦＩＤラベル連続体２の平面図である。
【図７】同、ＲＦＩＤラベル連続体２の裏面図である。
【図８】本発明の第１の実施例による異種ラベル（３０Ａ、３０Ｂ）への印字処理手順を示すフローチャート図である。
【符号の説明】
【００４５】
１  ＲＦＩＤ用サーマルラベルプリンタ
２  ＲＦＩＤ用ラベル連続体
４  ラベル供給部
５  移送路
６  ラベル検出部
７  読取り書込み部
８  プリンタ制御部
９  印字部
１０  ＲＦＩＤラベル
１１  台紙
１２  検出センサー
１３  ＲＦＩＤ制御部
１４  ＲＦＩＤアンテナ
１５  サーマルヘッド
１６  プラテンローラー
１７  被検出マーク
１８  保護シート
１９  ＲＦＩＤインレット
２０  ＩＣチップ
２１  アンテナ
２２  ラベル印字領域
２３  ラベル配置領域
２４  ギャップ領域
２５  粘着剤層
３０  異種ラベル連続体（実施例１）
３１  異種ラベル（異種ラベル片３１Ａ又は、異種ラベル片３１Ｂ）
３１Ａ  異種ラベル片（ＲＦＩＤラベル）
３１Ｂ  異種ラベル片（通常ラベル）
４０  異種ラベル連続体（実施例２）
４１  異種ラベル（異種ラベル片４１Ａ又は、異種ラベル片４１Ｂ）
４１Ａ  異種ラベル片（ＲＦＩＤラベル）
４１Ｂ  異種ラベル片（通常ラベル）
４３  ラベル配置領域
４４  ギャップ領域
【図１】
2008032868.tif 000003
【図２】
2008032868.tif 000004
【図３】
2008032868.tif 000005
【図４】
2008032868.tif 000006
【図５】
2008032868.tif 000007
【図６】
2008032868.tif 000008
【図７】
2008032868.tif 000009
【図８】
2008032868.tif 000010